(57)【要約】【課題】  手動駆動部によって駆動される増速機構部に回転力支援手段を設け、発電用モ−タの円滑な発電及び自然エネルギ−の取込みによる発電のできる手動発電機と、該手動発電機を用いた懐中電灯を提供すること。【解決手段】  発電用モ−タ２と該発電用モ−タ２に回転力を伝達する増速機構部３と、該増速機構部３に手動動力を伝達する手動駆動部４と、電力充電部５と、電力供給部６とから成る手動発電機において、前記増速機構部３に回転力支援手段を連接し、該回転力支援手段の軸端に回転体としてのフライホイ−ル１２や風車や水車の羽根車２４を着脱自在に接合する。このほか、前記手動駆動部４に安定座２６を着脱自在に接合して足踏み発電をし易くする。  また、手動発電機の電力供給部６に電気制御回路を介して発光ダイオ−ド（ＬＥＤ）２８を電気的に接続して成る懐中電灯において、手動発電機の増速機構部３に回転力支援手段を連接し、その軸端に回転体としての羽根車２４を接合する。【選択図】        図４
2005332791.tif 000002
【特許請求の範囲】
【請求項１】
発電用モ−タと、該発電用モ−タに回転力を伝達する増速機構部と、該増速機構部に手動動力を伝達する手動駆動部と、電力充電部と、電力供給部とから成る手動発電機において、
前記増速機構部に回転力支援手段を連接し、該回転力支援手段の軸端に回転体を着脱自在に接合して成る手動発電機。
【請求項２】
前記手動駆動部に安定座を着脱自在に接合して成る請求項１記載の手動発電機。
【請求項３】
手動発電機の電力供給部に電気制御回路を介して発光ダイオ−ド（ＬＥＤ）を電気的に接続して成る懐中電灯において、
手動発電機が請求項１又は２記載の手動発電機から成る懐中電灯。
【請求項４】
請求項３記載の懐中電灯において、
請求項１又は２記載の手動発電機の回転体が羽根車から成る懐中電灯。
【発明の詳細な説明】
【技術分野】
【０００１】  本発明は、携帯できる手動発電機及び手動発電機を内蔵した懐中電灯の技術分野に関する。
【背景技術】
【０００２】  従来から以下の特許文献に提案されている手動発電機（携帯用発電機を含む）や懐中電灯は、その手動駆動手段で駆動され、発電用モ−タに回転力を伝達する増速機構部には回転力支援手段がなく、発電にムラが生じるものであった。さらには、風力や水力などの手動以外の外力の支援を受けることができないものであった。そのため、発電用モ−タによる二次電池やコンデンサ−への充電は、人力のみによるものであるから、この発電用モ−タを内蔵した懐中電灯では、野外キャンプなどでの就寝中の充電や自動車の走行中での車外での充電ができないものであった。
【特許文献１】  特開平１１−１２２８６９号公報
【特許文献２】  特開平１１−２８９７１４号公報
【特許文献３】  特開２００１−１３６７０７号公報
【特許文献４】  特開平０９−０８２１０４号公報
【特許文献５】  特開２００３−０９２００１号公報
【発明の開示】
【発明が解決しようとする課題】
【０００３】  本発明は、手動駆動部によって駆動される増速機構部に回転力支援手段を設け、発電用モ−タの円滑な発電及び自然エネルギ−の取込みによる発電のできる手動発電機と、該手動発電機を用いた懐中電灯の提供をその目的とするものである。
【課題を解決するための手段】
【０００４】  本発明の請求項１に記載した手動発電機は、発電用モ−タと、該発電用モ−タに回転力を伝達する増速機構部と、該増速機構部に手動動力を伝達する手動駆動部と、電力充電部と、電力供給部とから成る手動発電機において、
前記増速機構部に回転力支援手段を連接し、該回転力支援手段の軸端に回転体を着脱自在に接合して成る。
また、請求項２に記載した手動発電機は、請求項１に記載した手動発電機において、前記手動駆動部に安定座を着脱自在に接合して成る。
また、請求項３に記載した懐中電灯は、手動発電機の電力供給部に電気制御回路を介して発光ダイオ−ド（ＬＥＤ）を電気的に接続して成る懐中電灯において、手動発電機が請求項１又は２に記載の手動発電機から成る。
さらに、請求項４に記載した懐中電灯は、請求項３に記載した懐中電灯において、請求項１又は２に記載した手動発電機の回転体が羽根車から成る。
【発明の効果】
【０００５】  本発明の手動発電機によれば、回転力支援手段によって手動駆動時には回転体としてのフライホイ−ルによって軽く滑らかな操作で増速機構部を介して発電用モ−タを回転でき、しかも、回転体を風車や水車の羽根車に代えたときは、自然エネルギ−を簡便に発電に利用できるものである。また、該手動発電機を用いた本発明の懐中電灯によれば、野外キャンプなどのレジャ−において、風力や水力による回転力支援によって就寝中でも自動車での移動走行中でも充電できるから極めて実用性の高いものである上、手動駆動部の指先を含む掌による手動操作や、安定座による安定状態での収納ケ−スの足踏みによる操作では、前記掌の機能回復や足裏や土踏まずの刺激などによる健康増進にも貢献するものである。
【発明を実施するための最良の形態】
【０００６】  本発明の手動発電機における増速機構部に連接する回転力支援手段として、その回転軸の軸端に接合する回転体はフライホイ−ルであるものや、風車や水車の羽根車であるものも含まれ、電力充電部は各種の二次電池やコンデンサ−などであり、また、電力供給部は一系統のものから多系統に渡るものまで含まれる。したがって、本発明の懐中電灯では手動発電機の電力供給部の一系統が発光ダイオ−ドに接続され、他の系統はジャックやコンセントなどに接続されてプラグなどの挿し込み口として開口されるものである。このほか、前記羽根車は携帯に便利なように、折りたたみ展開自在なものとして提供される。
【実施例】
【０００７】  本発明の手動発電機Ａを実施例により説明すると、図１に示すように合成樹脂製の二ツ割円筒状の収納ケ−ス１には発電用モ−タ２と、該発電用モ−タ２に回転力を伝達する増速機構部３と、該増速機構部３に手動動力を伝達する手動駆動部４と、電力充電部５と、電力供給部６とが収納され、前記手動駆動部４の駆動端を収納ケ−ス１の外部に突出して成る手動発電機において、前記増速機構部３には、回転力支援手段としての回転軸７を軸支し、該回転軸７の一端には増速機構部３の第３軸８の軸端に軸着される第３大ギヤ−９に噛合するギヤ−１０が軸着され、他端部が軸受け１１に軸支され、収納ケ−ス１の外方に突出される他端には回転体としてフライホイ−ル１２が着脱自在に軸着され、電力充電部５には二次電池としてＮｉ−Ｃａ電池やニッケル水素電池が用いられ、電力供給部６にはＯＮ−ＯＦＦスイッチ２７によって通電、遮断されるコンセントやジャックが設けられ、これらに挿し込まれるプラグを一端に接続したコ−ド（図外）の他端にＬＥＤや携帯電話、携帯ラジオなどへの充電用プラグを接続したものが対応する。
前記に一部を説明した増速機構部３は図３に示すように、手動駆動部４の駆動端に設けられた押し手１３にはラック１４が接合され、該ラック１４には一端がギヤ−ボックス１５に支持された軸棒がコイルスプリングを外嵌した状態で挿入され、押し手１３の押圧を解放すると該スプリングの圧縮反力でラック１４と共に押し手１３も戻されるのである。すなわち、ラックｌ４が押し込まれると第１軸１６のピニオン１７が回転され、該ピニオン１７と一体の第１大ギヤ−１８が回転して該第１大ギヤ−１８と噛合する第２軸１９の第２小ギヤ−２０が回転されて一段階増速され、そして第２軸１９と一体の第２大ギヤ−２１に噛合する第３軸８の第３小ギヤ−２２が回転されて二段階増速され、さらに、前記したように第３軸８と一体の第３大ギヤ−９の一方で噛合する発電用モ−タ２のモ−タ軸に軸着されたモ−タピニオン２３を介して三段階に増速されて発電用モ−タ２が回転駆動され、前記第３大ギヤ−９の他方で噛合するギヤ−１０は前記回転軸７に軸着されてその軸端に一体のフライホイ−ルｌ２の慣性力による回転力支援を受けるのである。すなわち、フライホイ−ル１２の回転によって押し手１３の押し込み力が軽くなるばかりでなく、発電用モ−タ２の回転が円滑になって安定した電力を発電できることになる。このほか、フライホイ−ル１２に代えて回転軸７には風車や水車などの羽根車２４が取着され得るものであり、自然エネルギ−の取り込みによってより一層発電能力の向上が図られるものである。また、図２の仮想線で示すように、手動駆動部４の駆動端である押し手１３には、該押し手１３と直交する方向に面状ファスナ−２５を介して安定座２６を一体にすることもあり、こうすることによって該安定座２６を着座させながら収納ケ−ス１を足踏みすればより楽な発電操作となるのである。このような状態を考慮すれば、収納ケ−ス１の上方外面には足裏のツボ押圧用の突起（図外）を設けることも良しとされ、発電と共に手足のリハビリにも効果があることとなる。【０００８】  次に、懐中電灯Ｂについて説明すると、図４に示すように、合成樹脂製の二ツ割円筒状の収納ケ−ス１には発電用モ−タ２と、該発電用モ−タ２に回転力を伝達する増速機構部３と、該増速機構部３に手動動力を伝達する手動駆動部４と、電力充電部５と、電力供給部６とが収納され、前記手動駆動部４の駆動端を収納ケ−ス１の外部に突出して成る手動発電機において、電力供給部６の一方には高輝度のＯＮ−ＯＦＦスイッチ２７で点灯、消灯される発光ダイオ−ド（ＬＥＤ）２８が接続され、前記増速機構部３には回転力支援手段としての回転軸７を軸支し、該回転軸７の一端には増速機構部３の第３軸８の軸端に軸着される第３大ギヤ−９に噛合するギヤ−１０が軸着され、他端部が軸受け１１に軸支され、収納ケ−ス１の外方に突出される他端には回転体として風車の折りたたみ展開自在な十字状の羽根車２４が着脱自在に軸着され、電力充電部５には二次電池としてＮｉ−Ｃａ電池やニッケル水素電池が用いられ、電力供給部６の他方にはコンセントやジャックが設けられ、これらに挿し込まれるプラグを一端に接続したコ−ド（図外）の他端にＬＥＤや携帯電話、携帯ラジオなどへの充電用プラグを接続���たものが対応する。
前記に一部を説明した増速機構部３は図３に示した手動発電機Ａにおけるものと同一であるからその説明を省略するが、手動駆動部４の押し手１３を押圧すると、発電用モ−タ２は三段に増速されて回転するものであり、そして押し手１３の押圧を解放するとスプリングの圧縮反力でラック１４と共にピニオン１７を介して第１軸１６をも所要距離戻し、その結果第１軸１６に軸着された第１大ギヤ−１８は第２軸１９の第２小ギヤ−２０からの噛合が解消され、それ以後の負荷を切り離すものである。したがって、風車の羽根車２４の回転は発電用モ−タ２には伝達されるが、押し手１３には伝達されないのである。
本実施例での懐中電灯Ｂでは、回転体として風車の羽根車２４を装着して風速エネルギ−を充電に利用したものであるが、このほか、水車の羽根車（図外）を装着して渓流の水流エネルギ−を充電に取り込んだり、手動発電機Ａと同様にフライホイ−ル１２の装着により手動駆動部４の押し手１３の操作、すなわち発電用モ−タ２の回転を円滑にして安定した電力を発電できることは勿論である。また、押し手１３に前記手動発電機Ａと同様に直交方向に安定座２６を接合して足踏みにより充電したり、風車の羽根車２４の装着状態で押し手１３を操作することにより、羽根車２４をフライホイ−ル１２のようにも使用できるものである。なお、回転体としての風車や水車の羽根車２４を使用するときは、収納ケ−スｌには別途図外の固定用の適宜な取付け金具が必要となることは勿論である。このほか、風車の羽根車２４を取着した状態での手動発電機Ａや懐中電灯Ｂには、タイマ−などで適宜に制御されるブザ−（図外）などを組み込んで風力による発電のもと、養鶏場でのいたち対策やからす対策、或は圃場でのすずめ対策などに利用できるものである。
【産業上の利用可能性】
【０００９】  本発明は、回転力支援手段によって滑らかで安定した発電と、自然エネルギ−による発電が得られる手動発電機と、該手動発電機を用いた懐中電灯を提供するものであるから、電気メ−カ−及びバッテリ−製造業界に大いに貢献できるものである。
【図面の簡単な説明】
【００１０】
【図１】  本発明の手動発電機Ａの要部配置構成の説明図である。
【図２】  安定座２６の取付け状態の説明図である。
【図３】  増速機構部３のスケルトンである。
【図４】  本発明の懐中電灯Ｂの説明図である。
【符号の説明】
【００１１】１  収納ケ−ス
２  発電用モ−タ
３  増速機構部
４  手動駆動部
５  電力充電部
６  電力供給部
７  回転軸
８  第３軸
９  第３大ギヤ−
１０  ギヤ−
１１  軸受け
１２  フライホイ−ル
１３  押し手
１４  ラック
１５  ギヤ−ボックス
１６  第１軸
１７  ピニオン
１８  第１大ギヤ−
１９  第２軸
２０  第２小ギヤ−
２１  第２大ギヤ−
２２  第３小ギヤ−
２３  モ−タピニオン
２４  羽根車
２５  面状ファスナ−
２６  安定座
２７  ＯＮ−ＯＦＦスイッチ
２８  発光ダイオ−ド（ＬＥＤ）
Ａ  手動発電機
Ｂ  懐中電灯
【図１】
2005332791.tif 000003
【図２】
2005332791.tif 000004
【図３】
2005332791.tif 000005
【図４】
2005332791.tif 000006